(57)【要約】      （修正有）【課題】骨締結部材のような固定具を髄内釘のような整形外科用移植片に固定するための固定具ロック用（locking）システム及び方法に関する。【解決手段】少なくとも１つの細長固定具を移植片に固定するためのシステムを開示している。少なくとも１つの接着剤カプセルが、好ましくは移植片３２０の長軸に沿って配置される凹部内に挿入され、ホルダーによって適所に保持される。少なくとも１つの接着剤カプセルは、好ましくは、接着材料を収容するケーシングを有している。このケーシングは、少なくとも１つの固定具を移植片に固定するために、少なくとも１つの固定具によって突き刺される。接着剤カプセルのケーシングは、少なくとも移植片の一部に沿って長手方向孔を有する移植片内に、カプセルを挿入するのを支援するためのガイドワイヤ３８０を受け入れる環状通路を形成するとよい。【選択図】図１４
2011125718.tif 000002
【特許請求の範囲】
【請求項１】
第１の端部及び第２の端部を有する長手方向延伸外壁と、
前記外壁から離間した長手方向延伸内壁であって、第１の端部及び第２の端部を有し、前記外壁及び内壁のそれぞれの前記第１の端部及び前記第２の端部がシールされており、前記シールされた外壁及び内壁が密閉チャンバを画成している、内壁と、
前記密閉チャンバ内に含まれている接着剤と
を備え、
前記内壁が、前記接着剤カプセルの長さに沿って前記内壁の第１の端部及び第２の端部を通る通路を形成している、接着剤カプセル。
【請求項２】
前記接着剤を含んでいる前記密閉チャンバが、バリア壁によって互いに分離された第１の長手方向区域及び第２の長手方向区域を備えることによって、前記第１の区域内の前記接着剤が、前記第２の区域内の前記接着剤から分離されるように構成されている、請求項１に記載に接着剤カプセル。
【請求項３】
前記バリア壁が、前記接着剤カプセルの長さに沿った中間部分に配置されている、請求項２に記載の接着剤カプセル。
【請求項４】
前記外壁が、該外壁から外方に延びる周方向隆起を有している、請求項１に記載の接着剤カプセル。
【請求項５】
前記外壁及び前記内壁が実質的に円筒状に形成され、かつ前記通路が実質的に円筒状に形成されることよって、前記密閉チャンバが環状に形成されている、請求項１に記載の接着剤カプセル。
【請求項６】
前記第１の端部及び前記第２の端部が第１の端壁と第２の端壁とを備えており、
前記環状の密閉チャンバにおける第１の端部が前記第１の端壁によってシールされており、前記環状の密閉チャンバにおける第２の端部が前記第２の端壁によってシールされている、請求項５に記載の接着剤カプセル。
【請求項７】
前記環状の密閉チャンバが少なくとも一種の治療薬も含んでいる、請求項６に記載の接着剤カプセル。
【請求項８】
少なくとも部分的に内部に延びる長手方向孔と、第１の骨締結部材受入れ開口及び第２の骨締結部材受入れ開口とを有している細長シャフトであって、前記開口の各々が前記長手方向孔を横断して延びている、細長シャフトと、
接着剤を収容するケーシングを有している接着剤カプセルであって、前記孔内に位置決めされており、第１の開口及び第２の開口の両方に連通している接着剤カプセルと
を備えている骨釘。
【請求項９】
前記細長シャフトの前記長手方向孔内に受け入れられるように構成されたホルダーであって、前記接着剤カプセルを受け入れ、前記接着剤カプセルを前記第１の開口及び前記第２の開口の少なくとも１つ内に少なくとも部分的に位置決めするように構成されているホルダーをさらに備えている、請求項８に記載の骨釘。
【請求項１０】
前記細長シャフトの前記長手方向孔内に受け入れられるように構成されたホルダーをさらに備えており、
前記ホルダーが第１の端部及び第２の端部を有しており、各端部が、前記接着剤カプセルを前記第１の開口及び前記第２の開口内に少なくとも部分的に位置決めするように、前記接着剤カプセルを保持するための凹部を有している、請求項８に記載の骨釘。
【請求項１１】
前記長手方向孔には前記釘開口に隣接してネジ山が付されており、前記ホルダーは、ねじ込まれ、前記細長シャフトの前記長手方向孔にネジ係合するように構成されている、請求項１０に記載の骨釘。
【請求項１２】
前記接着剤カプセルが少なくとも一種の治療薬も含んでいる、請求項１１に記載の骨釘。
【請求項１３】
第１の接着剤カプセルと、
第２の接着剤カプセルと
をさらに備え、
前記ホルダーが、前記第１の接着剤カプセル及び前記第２の接着剤カプセルの両方を受け入れて、前記第１の接着剤カプセルを前記第１の開口内に少なくとも部分的に位置決めし、前記第２の接着剤カプセルを前記第２の開口内に少なくとも部分的に位置決めするように構成されている、請求項１０に記載の骨釘。
【請求項１４】
前記第１の接着剤カプセル及び前記第２の接着剤カプセルが、各々、少なくとも一種の治療薬も含んでいる、請求項１３に記載の骨釘。
【請求項１５】
長手方向孔及び該長手方向孔を横断して延びる少なくとも１つの開口を有している細長シャフトと、
接着剤を収容しているケーシングを有し、かつ前記孔内に位置決めされている接着剤カプセルと、
前記孔内に受け入れられるように構成されたホルダーであって、前記接着剤カプセルを受け入れて前記接着剤カプセルを前記少なくとも１つの開口内に少なくとも部分的に位置決めするように構成された少なくとも１つの凹部を有するホルダーと
を備えている骨釘。
【請求項１６】
前記接着剤カプセルが少なくとも一種の治療薬も含んでいる、請求項１５に記載の骨釘。
【請求項１７】
前記ホルダーが円筒状に構成されている、請求項１５に記載の骨釘。
【請求項１８】
前記ホルダーにはネジ山が付され、前記ホルダーが前記細長シャフトの前記長手方向孔にネジ係合するように構成されている、請求項１５に記載の骨釘。
【請求項１９】
さらに第１の横断開口と第２の横断開口とを備えており、
前記ホルダーが、前記第１の横断開口及び前記第２の横断開口に連通するように、前記長手方向孔内に位置決めされており、前記ホルダーが、第１の凹部及び第２の凹部を有しており、前記凹部の各々が、接着剤カプセルを受け入れるように構成されている、請求項１５に記載の骨釘。
【請求項２０】
第１の接着剤カプセルが前記第１の横断開口内に少なくとも部分的に位置決めされており、前記第２の接着剤カプセルが前記第２の横断開口内に少なくとも部分的に位置決めされている、請求項１９に記載の骨釘。
【請求項２１】
前記第１の接着剤カプセル及び前記第２の接着剤カプセルが、各々、少なくとも一種の治療薬も含んでいる、請求項２０に記載の骨釘。
【請求項２２】
固定具を移植片に固定するための方法において、
前記移植片を骨に隣接して位置決めするステップであって、前記移植片が、細長固定具を受け入れるための少なくとも１つの開口と、前記開口に連通している内側凹部とを備えている、ステップと、
接着剤カプセルを前記内側凹部内に配置するステップであって、前記接着剤カプセルが、前記少なくとも１つの開口内に少なくとも延びように構成されており、前記接着剤カプセルは接着剤を収容しているケーシングを有しており、前記ケーシングが細長固定具によって突き刺されるように構成されている、ステップと、
前記固定具を前記少なくとも１つの開口内に挿入し、前記接着剤カプセルを前記固定具の少なくとも一部によって突き刺すステップと
を含み、
前記接着剤が前記細長固定具を前記移植片に固定するように構成されている、方法。
【請求項２３】
前記移植片が髄内釘として構成されている、請求項２２に記載の方法。
【請求項２４】
前記凹部は、前記髄内釘の長さに沿って少なくとも部分的に延びる長手方向孔として構成されている、請求項２３に記載の方法。
【請求項２５】
前記接着剤カプセルを前記固定具によって突き刺す前に、保持リングを前記接着剤カプセルの前記ケーシングの周囲に配置するステップであって、前記保持リングが、前記接着剤カプセルの位置を前記髄内釘の前記長手方向孔内に保持するのを支援するように構成されている、ステップをさらに含む請求項２４に記載の方法。
【請求項２６】
前記移植片が、細長固定具を各々が受け入れるように構成された複数の開口と、各開口に連通している内側凹部とを有しており、
前記方法が、
前記接着剤カプセルを各開口に連通している前記内側凹部内に配置するステップをさらに含んでおり、
各接着剤カプセルが各開口内に少なくとも部分的に延びている、請求項２２に記載の方法。
【発明の詳細な説明】
【技術分野】
【０００１】
本発明は、骨締結部材のような固定具を髄内釘のような整形外科用移植片に固定するための固定具ロック用（locking）システム及び方法に関する。詳細には、本発明は、接着剤カプセルを移植片の固定具受入れ開口に隣接して設け、接着剤カプセルを固定具によって突き刺して、接着剤カプセル内の接着材料によって固定具を移植片の開口内に固定することに関する。
【背景技術】
【０００２】
髄内釘のような整形外科用移植片は、骨折の固定に用いられている。一般的に、髄内釘を大腿骨の管内に挿入する前には、孔がまず作られる。この孔は、例えば、リーマによって作られるとよいとされている。いったん釘が大腿骨の管内に位置決めされると、この釘は、一般的に、ロック釘又はネジのような固定具によって、適所に固定される。一般的に、このような固定具は、大腿骨のような患者の骨の一部にまず挿通され、次いで、釘の長さに沿って配置された固定具受入れ開口に挿通される構成となっている。固定具を釘の開口内に固定するには、固定具自体のロック用特徴部が用いられてもよいし、釘のロック用特徴部が用いられてもよいし、又はロック用インサートのような他の構造が用いられてもよい。
【０００３】
移植片内の締結部材のような固定具の離脱の問題は、特許文献において取り扱われてきている。特許文献１は、連結ネジを移植片内に固定するためのリングを示唆している。一実施形態では、ネジ部を有する少なくとも１つの孔を備える移植片本体と、移植片本体を固定するために骨内にねじ込まれたときに該ネジ部に係合することになる骨ネジとを有している骨釘が示されている。移植片本体のネジ孔は環状溝を有しており、この環状溝の直径はネジ山の外径よりも大きくなっている。環状溝は変形可能な材料のリングを受け入れるように構成されている。このリングは、骨ネジのネジ山の外径よりも小さい内径を有することによって、孔内に部分的に延びている。
【先行技術文献】
【特許文献】
【０００４】
【特許文献１】米国特許第７，２４７，１５７号明細書
【発明の概要】
【０００５】
本発明の第１の態様は、第１の端部及び第２の端部を有する長手方向延伸外壁を備えている接着剤カプセルである。長手方向延伸内壁が、好ましくは、外壁から離間されており、この内壁は、第１の端部及び第２の端部を有している。外壁及び内壁のそれぞれの第１の端部及び第２の端部は、好ましくは、シールされており、シールされた外壁及び内壁は、密閉チャンバを画成している。接着剤カプセルは、密閉チャンバ内に含まれている接着剤を備えている。内壁は、好ましくは、接着剤カプセルの長さに沿って内壁の第１の端部及び第２の端部を通る通路を形成している。
【０００６】
本発明の第１の態様の一実施形態によれば、接着剤を含んでいる密閉チャンバは、バリア壁によって互いに分離された第１の長手方向区域及び第２の長手方向区域を備えており、これによって、第１の区域内の接着剤が、第２の区域内の接着剤から分離されるように構成されている。
【０００７】
本発明の第１の態様の他の実施形態によれば、バリア壁が接着剤カプセルの長さに沿った中間部分に配置されている。
【０００８】
本発明の第１の態様のさらに他の実施形態によれば、外壁が、該外壁から外方に延びる周方向隆起を有している。
【０００９】
本発明の第１の態様のさらに他の実施形態によれば、外壁及び内壁が実質的に円筒状に形成され、かつ通路が実質的に円筒状に形成され、これによって、密閉チャンバが環状に形成されている。
【００１０】
本発明の第１の態様のさらに他の実施形態によれば、第１の端部及び第２の端部は、第１の端壁と第２の端壁とを備えており、環状チャンバの第１の端部は、第１の端壁によってシールされており、環状チャンバの第２の端部は、第２の端壁によってシールされている。
【００１１】
本発明の第２の態様は、少なくとも部分的に内部に延びる長手方向孔と、第１の骨締結部材受入れ開口及び第２の骨締結部材受入れ開口とを有している細長シャフトを備えている骨釘である。好ましくは、開口の各々は、長手方向孔を横断して延びている。好ましくは、接着カプセルが、孔内に位置決めされており、第１の開口及び第２の開口の両方に連通している。
【００１２】
本発明の第２の態様の一実施形態によれば、骨釘は、細長シャフトの長手方向孔内に受け入れられるように構成されたホルダーであって、接着剤カプセルを受け入れ、カプセルを第１の開口及び第２の開口の少なくとも１つ内に少なくとも部分的に位置決めするように構成されている、ホルダーをさらに備えている。
【００１３】
本発明の第２の態様の他の実施形態によれば、ホルダーは、第１の端部及び第２の端部を有しており、各端部は、カプセルを第１の開口及び第２の開口内に少なくとも部分的に位置決めするように接着剤カプセルを保持するための凹部を有している。
【００１４】
本発明の第２の態様のさらに他の実施形態によれば、細長シャフトの長手方向孔は、釘開口に隣接してネジ山が付されており、ホルダーは、ねじ込まれ、細長シャフトの長手方向孔にネジ係合するように構成されている。
【００１５】
本発明の第２の態様のさらに他の実施形態によれば、骨釘は第１の接着剤カプセルと第２の接着剤カプセルとを備えており、ホルダーは、第１の接着剤カプセル及び第２の接着剤カプセルの両方を受け入れて、第１のカプセルを第１の開口内に少なくとも部分的に位置決めし、第２のカプセルを第２の開口内に少なくとも部分的に位置決めするように、構成されている。
【００１６】
本発明の第３の態様は、長手方向孔及び長手方向孔を横断して延びる少なくとも１つの開口を有している細長シャフトを備えている骨釘である。好ましくは、接着剤カプセルが、孔内に位置決めされており、ホルダーは、孔内に受け入れられるように構成されており、接着剤カプセルを受け入れてカプセルを少なくとも１つの開口内に少なくとも部分的に位置決めするように構成された少なくとも１つの凹部を有している。
【００１７】
本発明の第３の態様の一実施形態によれば、ホルダーは円筒状である。好ましくは、ホルダーにはネジ山が付されており、ホルダーは細長シャフトの長手方向孔にネジ係合するように構成されている。
【００１８】
本発明の第３の態様の他の実施形態によれば、骨釘は、第１の横断開口及び第２の横断開口を有しており、ホルダーは、第１の横断開口及び第２の横断開口に連通するように、長手方向孔内に位置決めされており、ホルダーは、第１の凹部及び第２の凹部を有しており、凹部の各々は接着剤カプセルを受け入れるように構成されている。
【００１９】
本発明の第３の態様の他の実施形態によれば、第１の接着剤カプセルは第１の横断開口内に少なくとも部分的に位置決めされており、第２の接着剤カプセルは第２の横断開口内に少なくとも部分的に位置決めされている。
【００２０】
本発明の第４の態様は、固定具を移植片に固定するための方法である。この方法は、移植片を骨に隣接して位置決めするステップであって、移植片が、細長固定具を受け入れるための少なくとも１つの開口と、開口に連通している内側凹部とを備えている、ステップを含んでいる。この方法は、接着剤カプセルを内側凹部内に配置することであって、接着剤カプセルは少なくとも１つの開口内に少なくとも延びるように構成されており、接着剤カプセルが接着剤を収容しているケーシングを有しており、ケーシングが、細長固定具によって突き刺されるように構成されている、ステップをさらに含んでいる。この方法は、固定具を少なくとも１つの開口内に挿入し、接着剤カプセルを固定具の少なくとも一部によって突き刺すステップをさらに含んでおり、接着剤が細長固定具を移植片に固定するように構成されている。
【００２１】
本発明の第３の態様の一実施形態によれば、移植片が髄内釘として構成されている。
【００２２】
本発明の第３の態様の他の実施形態によれば、凹部は、髄内釘の長さに沿って少なくとも部分的に延びる長手方向孔として構成されている。
【００２３】
本発明の第３の態様のさらに他の実施形態によれば、この方法は、接着剤カプセルを固定具によって突き刺す前に、保持リングを接着剤カプセルのケーシングの周囲に配置するステップであって、保持リングが接着剤カプセルの位置を髄内釘の長手方向孔内に保持するのを支援するように構成されている、ステップをさらに含んでいる。
【００２４】
本発明の第３の態様のさらに他の実施形態によれば、移植片は、細長固定具を各々が受け入れるように構成された複数の開口と、各開口に連通している内側凹部とを有している。この方法は、接着剤カプセルを各開口に連通している内側凹部内に配置するステップをさらに含んでいる。各接着剤カプセルは、各開口内に少なくとも部分的に延びている。
【００２５】
本発明の主題及びその種々の利点のさらに完全な理解は、添付の図面に基づいて、以下の詳細な説明を参照することによって、得られるだろう。
【図面の簡単な説明】
【００２６】
【図１】接着剤カプセルが内部に配置されている髄内釘の長手方向孔の実施形態の断面図である。
【図２】２つの固定具の先端部の各々が髄内釘の開口内に位置している、図１に示されている髄内釘の断面図である。
【図３】接着剤カプセルが２つの固定具によって突き刺された状態にある、図２に示されている接着剤カプセル、髄内釘、及び２つの固定具の断面図である。
【図４】髄内釘の開口に隣接する凹部内に各々配置されている複数の接着剤カプセルを備えている髄内釘の実施形態の断面図である。
【図４Ａ】図４の線Ａ−Ａに沿った髄内釘の断面図である。
【図５】本発明の接着剤カプセルの実施形態を示す図である。
【図６】複数の接着剤カプセルの２つが髄内釘の開口内に位置する固定具に突き刺された状態にある、図４に示されている髄内釘の断面図である。
【図７】接着剤カプセルが内部に部分的に配置されているホルダーの実施形態の断面図である。
【図８】挿入器具がホルダーに係合しようとしている、図７に示されているホルダーの断面図である。
【図８Ａ】図８に示されているホルダーに係合された挿入器具を示す図である。
【図９】髄内釘の長手方向孔に配置された、図７に示されているホルダー及び接着剤カプセルの複数個を有している髄内釘の代替的実施形態の断面図である。
【図１０】図９の線Ｂ−Ｂに沿った髄内釘の断面図である。
【図１１】複数の接着剤カプセルの１つが髄内釘の開口内に位置する固定具によって突き刺された状態にある、図９に示されている髄内釘の断面図である。
【図１２】接着剤カプセルの代替的実施形態の斜視図である。
【図１３】図１２に示されている接着剤カプセルの線Ｃ−Ｃに沿った断面図である。
【図１４】髄内釘、ガイドワイヤ、及び図１２に示されている接着剤カプセルの斜視図である。
【図１５】図１４に示されている髄内釘の長手方向孔内に配置された接着剤カプセルの断面図である。
【発明を実施するための形態】
【００２７】
骨又は体の他の部分に言及する場合に本明細書において用いられる「近位側（proximal）」という用語は、心臓により近い方を意味し、「遠位側（distal）」という用語は、心臓からより遠い方を意味している。「下側（inferior）」という用語は、足に向かう方を意味し、「上側（superior）」という用語は、頭に向かう方を意味している。「前側（anterior）」という用語は、体の正面部又は顔に向かう方を意味し、「後側（posterior）」という用語は、体の背面部に向かう方を意味している。「内側（medial）」という用語は、体の正中線に向かう方を意味し、「外側（lateral）」という用語は、体の正中線から離れる方を意味している。
【００２８】
図面について説明する。なお、図面において、同様の参照番号は、同様の要素を指すものとする。これらの図面では、本発明の実施形態に基づいて、締結部材ロック用システムが参照番号１０によって総称的に示されている。図１−図３は、締結部材ロック用システム１０について言及している。好ましくは、締結部材ロック用システム１０は、髄内釘２０の一部と、少なくとも１つの接着剤カプセル４０と、少なくとも１つの固定具６０とを備えている。２つの固定具６０ａ，６０ｂが、図２，図３に示されている。
【００２９】
髄内釘２０は、好ましくは、患者の大腿骨の管内に収容されるように構成された細長シャフトとなっている。好ましくは、髄内釘２０は、その長さに沿って少なくとも部分的に長手方向孔２２を備えている。孔２２は、軸２３を有するものとして示されている。軸２３は、図１−図３では直線として示されているが、もし釘２０の長さの一部が湾曲しているならば、軸２３も湾曲することになる。釘２０は、好ましくは、少なくとも第１の骨締結部材受入れ開口２６ａ及び第２の骨締結部材受入れ開口２６ｂをさらに備えている。好ましくは、開口２６ａ，２６ｂは、各々、髄内釘２０の長手方向孔２２を横断して延びている。
【００３０】
接着剤カプセル４０は、好ましくは、接着材料を収容している外側ケーシングを備えている。接着剤カプセルの外側ケーシングは、好ましくは、例えば、固定具６０ａ，６０ｂのような固定具によって容易に突き刺されるように、薄くなっている。図１に示されているように、接着剤カプセル４０は、接着材料を収容するためのチャンバを形成している。代替的に、接着剤カプセルは、図２に示されているように、２つのチャンバ４４，４６を備えていてもよいし、又は３つ以上のチャンバを備えていてもよい。バリア壁４８が、カプセル４０の接着剤を第１のチャンバ４４内と第２のチャンバ４６内とに分けている。接着剤カプセル４０は、複数のチャンバを形成するために、２つ以上のバリア壁４８をさらに備えていてもよい。
【００３１】
図２の実施形態に示されているように、接着剤カプセル４０は、孔２２内に位置決めされており、第１の開口２６ａ及び第２の開口２６ｂの両方に連通している。接着剤カプセル４０の第１のチャンバ４４及び第２のチャンバ４６は、バリア壁４８によって、互いに分離されている。この実施形態では、例えば、第１のチャンバ４４は、固定具６０Ａによって突き刺されるが、第２のチャンバ４６は、固定具６０Ａによって突き刺されないように構成されており、この逆に、第２のチャンバ４６は、例えば、固定具６０Ｂによって突き刺されるが、第１のチャンバ４４は、固定具６０Ｂによって突き刺されないように構成されている。
【００３２】
図３に示されているように、固定具６０ａ，６０ｂが、接着剤カプセル４０を突き刺しており、これによって、接着材料が、好ましくは、固定具６０ａ，６０ｂをその長さに沿って包囲している。好ましくは、固定具６０ａ，６０ｂは、各固定具６０ａ，６０ｂのヘッド６１ａ，６１ｂが患者の骨（図示せず）の外面上に着座するまで、開口２６ａ，２６ｂ内に受け入れられるように構成されている。カプセル４０の内側に置かれた接着材料の化学的及び／又は物理的特性によって、接着材料は、最終的に硬化し、固定具６０ａ，６０ｂを釘２０に対して固定し、これによって、釘２０を患者の太腿骨の管に固定することになる。好ましくは、いったん接着材料が硬化したならば、例えば、固定具６０ａ，６０ｂは、釘２０から離脱することが阻止される。また、硬化した接着剤は、釘２０の開口内における固定具の角度安定性にも役立つことになる。
【００３３】
図４−図６は、締結部材ロック用システム１００について言及している。好ましくは、締結部材ロック用システム１００は、髄内釘１２０と、少なくとも１つの接着剤カプセル１４０と、少なくとも１つの固定具１６０とを備えている。
【００３４】
髄内釘１２０は、患者の太腿骨の管内に収容されるように構成された好ましくは細長のシャフトとして構成されている。好ましくは、髄内釘１２０は、その長さに沿って少なくとも部分点に少なくとも２つの長手方向凹部又は孔１２２，１２４を備えている。この実施形態では、凹部又は孔１２２は、釘１２０のかなりの長さに沿って延びず、好ましくは、釘１２０の長さに沿って、凹部１２２を凹部１２４から分離する壁１２７によって、遮断されている。好ましくは、凹部１２２，１２４の各々は、軸１２３を有するものとして示されている。軸１２３は、図４−図６では直線として示されているが、もし釘１２０の長さの一部が湾曲しているならば、軸１２３も湾曲することになる。髄内釘１２０は、好ましくは、少なくとも第１骨締結部材受入れ開口１２６ａ及び第２の骨締結部材受入れ開口１２６ｂをさらに備えている。好ましくは、開口１２６ａ，１２６ｂは、各々、髄内釘１２０の長手方向孔１２２を横断して延びている。
【００３５】
接着剤カプセル１４０は、好ましくは、接着材料を収容している外側ケーシングを備えている。接着剤カプセルの外側ケーシングは、好ましくは、例えば、固定具１６０のような固定具によって容易に突き刺されるように、薄くなっている。図５に示されているように、接着剤カプセル１４０は、接着材料を収容するためのチャンバ１４４を形成している。代替的に、接着剤カプセル１４０は、２つ以上のチャンバを備えていてもよい。例えば、カプセル１４０の接着剤を第１のチャンバ内と第２のチャンバ内とに分けるために、バリア壁が用いられてもよい。接着剤カプセル１４０は、複数のチャンバを形成するために、２つ以上のバリア壁をさらに備えていてもよい。
【００３６】
図４に示されているように、複数のカプセル１４０が、釘１２０の凹部１２２，１２４内に配置されている。カプセル１４０は、カプセル１４０の一部が釘１２０の固定具受入れ開口１２６ａ，１２６ｂ内に位置するように、凹部１２２，１２４内に配置されている。図４Ａは、例えば、凹部１２４内に配置されたカプセル１４０を示す断面図である。図５は、凹部１２４内に配置されたカプセルを示す詳細図であり、この図では、釘１２０の固定具受入れ開口１２６ｂ内に位置するカプセル１４０の一部が、明瞭に示されている。カプセル１４０内の接着材料の特性及び釘１２０の固定具受入れ開口１２６ｂ内に位置するカプセル１４０の場所によって、好ましくは、どのくらいの量の接着剤が、釘１２０の固定具受入れ開口内のカプセル１４０を突き刺す固定具と接触するかが決定されることになる。
【００３７】
図６に示されているように、固定具１６０が、固定具受入れ開口１２６ａ内の接着剤カプセル４０を突き刺しており、これによって、接着材料が、好ましくは、固定具１６０をその長さに沿って包囲している。好ましくは、固定具１６０は、固定具１６０のヘッド１６１が患者の骨（図示せず）の外面上に着座するまで、開口１２６ａ，１２６ｂ内に受け入れられるように構成されている。接着材料の化学的特性及び物理的特性によって、接着材料は、最終的に硬化し、固定具１６０を、例えば、釘１２０に対して固定することになる。
【００３８】
図７−図１１は、締結部材ロック用システム２００について言及している。好ましくは、締結部材ロック用システム２００は、髄内釘２００と、少なくとも１つの接着剤カプセル２４０と、少なくとも１つのカプセルホルダー２７０と、少なくとも１つの固定具２６０とを備えている。２つの固定具２６０ａ，２６０ｂが、図９に示されている。また、締結部材ロック用システム２００は、カプセルホルダー２７０に係合し、操作するための挿入器具２９０を備えていてもよい。
【００３９】
図７−図８Ａは、接着剤カプセル２４０と、カプセルホルダー２７０と、挿入器具２９０とを示している。図７に示されているように、接着剤カプセル２４０は、好ましくは、接着材料を収容している外側ケーシング２４２を備えている。接着剤カプセル２４０の外側ケーシング２４２は、好ましくは、例えば、図９に示されている固定具２６０ａ，２６０ｂのような固定具によって容易に突き刺されるように、薄くなっている。接着剤カプセル２４０は、好ましくは、接着材料を収容するためのチャンバ２４４を形成している。代替的に、接着剤カプセル２４０は、２つ以上のチャンバを備えていてもよい。例えば、カプセル２４０の接着剤を第１のチャンバ内と第２のチャンバ内とに分けるために、バリア壁が用いられてもよい。接着剤カプセル２４０は、複数のチャンバを形成するために、２つ以上のバリア壁をさらに備えていてもよい。
【００４０】
図８では、挿入器具２９０は、図８Ａに示されているようにカプセルホルダー２７０に係合されるのに先立ってカプセルホルダー２７０と真っ直ぐに並んでいる状態で示されている。挿入器具２９０は、好ましくは、カプセルホルダー２７０の対応する端部２７４に係合するように構成された係合端部２９２を有している。挿入器具２９０とカプセルホルダー２７０との間の係合は、圧入、ネジ係合、又はロック嵌合、例えば、ボール・デテント式接続部によって、行われるとよい。
【００４１】
ホルダー２７０は、第１の端部２７１及び第２の端部２７２を有している。これらの端部２７１，２７２の各々は、接着剤カプセル２４０を収容するための凹部２７６を有している。凹部２７６は、ホルダー２７０の第１の端部２７１及び第２の端部２７２を通る孔であってもよい。図８に示されているように、ホルダー２７０は、釘２２０内の対応するネジ部に係合するように構成された雄ネジ部２８０を備えているとよい。ホルダー２７０は、好ましくは、円筒状に構成されている。
【００４２】
締結部材ロック用システム２００では、髄内釘２２０は、患者の太腿骨の管内に収容されるように構成された好ましくは細長のシャフトである。好ましくは、髄内釘２２０は、その長さに沿って少なくとも部分的に少なくとも２つの長手方向凹部又は孔２２２，２２４を備えている。この実施形態では、凹部又は孔２２２は、釘２２０のかなりの長さに沿って延びず、好ましくは、釘２２０の長さに沿って、凹部２２２を凹部２２４から分離する壁２２７によって遮断されている。好ましくは、各凹部２２２，２２４は、軸２２３を有するものとして示されている。軸２２３は、図９，図１１では直線として示されているが、もし釘２２０の長さの一部が湾曲しているならば、湾曲することになる。髄内釘２２０は、好ましくは、少なくとも第１の骨締結部材受入れ開口２２６ａ及び第２の骨締結部材受入れ開口２２６ｂをさらに備えている。好ましくは、開口２２６ａ，２２６ｂは、各々、髄内釘２２０の凹部２２２，２２４を横断して延びている。
【００４３】
図９に示されているように、ホルダー２７０内に各々収容されている複数のカプセル２４０は、釘１２０の凹部２２２，２２４内に配置されている。カプセル２４０を収容しているホルダー２７０は、カプセル２４０の一部が釘２２０の固定具受入れ開口２２６ａ，２２６ｂ内に位置するように、凹部２２２，２２４内に配置されている。図１０Ａは、例えば、凹部２２４内に配置されたカプセル２４０を示す断面図である。
【００４４】
図１１に示されているように、固定具２６０ａが、固定具受入れ開口２２６ａ内の接着剤カプセル２４０を突き刺しており、これによって、接着材料が、好ましくは、固定具２６０ａをその長さに沿って包囲している。好ましくは、固定具２６０ａは、固定具２６０ａのヘッド２６１が患者の骨（図示せず）の外面上に着座するまで、開口２２６ａ内に受け入れられるように構成されている。接着剤カプセル２４０内の接着材料の化学的特性及び物理的特性によって、接着材料は、最終的に硬化し、固定具２６０ａを、例えば、釘２２０に対して固定することになる。
【００４５】
凹部２２２，２２４は、図１１では、ネジ山が付されているものとして示されており、これによって、ホルダー２７０に係合された挿入器具２９０を回転させ、ホルダー２７０を凹部２２２，２２４内の適所にねじ込むことができる。ホルダー２７０は、釘１０，１００，２００の細長シャフトの長手方向孔２２又は凹部１２２，１２４，２２２，２２４内に受け入れられるように構成されている。
【００４６】
一実施形態では、釘１０は、第１の横断開口２６ａ及び第２の横断開口２６ｂを備えており、ホルダー２７０は、第１の横断開口２６ａ及び第２の横断開口２６ｂと連通するように、釘２０の長手方向孔２２内に配置されるように構成されている。ホルダー２７０は、第１及び第２の凹部２７２を有しており、第１及び第２の凹部２７２の各々は、接着剤カプセル４０，１４０，２４０を受け入れるように構成されている。
【００４７】
図１２−図１５は、締結部材ロック用システム３００について言及している。好ましくは、締結部材ロック用システム３００は、髄内釘３２０と、少なくとも１つの接着剤カプセル３４０と、少なくとも１つの固定具３６０（図示せず）とを備えている。
【００４８】
髄内釘３２０は、好ましくは、患者の太腿骨の管内に収容されるように構成された細長シャフトである。好ましくは、髄内釘３２０は、その長さに沿って少なくとも部分的に長手方向孔３２２を備えている。長手方向孔３２２は、好ましくは、接着剤カプセル３４０から延びる保持部３６６を受け入れるように構成された少なくとも１つの凹部３２１を備えている。髄内釘３２０は、好ましくは、少なくとも第１の骨締結部材受入れ開口３２６ａ及び第２の骨締結部材受入れ開口３２６ｂをさらに備えている。好ましくは、開口３２６ａ，３２６ｂは、各々、髄内釘３２０の長手方向孔３２２を横断して延びている。
【００４９】
接着剤カプセル３４０は、好ましくは、第１の端部３４４及び第２の端部３４６を有する長手方向延伸外壁３４２を備えている。接着剤カプセル３４０は、好ましくは、外壁３４２から離間した長手方向延伸内壁３４８をさらに備えており、内壁３４８は、第１の端部３５０及び第２の端部３５２を有している。外壁及び内壁のそれぞれの第１の端部及び第２の端部は、好ましくは、シールされており、これによって、シールされた外壁及び内壁は、細長チャンバ３５４を画成することになる。好ましくは、接着剤３４１が、密閉チャンバ３５４内に含まれている。内壁３４８は、接着剤カプセル３４０の長さに沿って内壁３４８の第１の端部３５０及び第２の端部３５２を通る通路３５６を形成している。
【００５０】
図１５に示されているように、接着剤３４１を含んでいる密閉チャンバ３５４は、好ましくは、バリア壁３６４によって互いに分離された第１の長手方向区域３６０及び第２の長手方向区域３６２を備えており、これによって、第１の区域３４１ａ内の接着剤は、第２の区域３４２ｂ内の接着剤から分離されることになる。好ましくは、バリア壁３６４は、接着剤カプセル３４０の長さに沿って中間部に配置されている。好ましくは、接着剤カプセル３４０の外壁３４２は、外壁３４２から外方に延びる周方向隆起又は保持部３６６を有している。
【００５１】
好ましくは、接着剤カプセル３４０の外壁３４２及び内壁３４８は、実質的に円筒状であり、かつ通路３２２は、実質的に円筒状であり、これによって、密閉チャンバ３５４は、環状に構成されている。
【００５２】
好ましくは、接着剤カプセル３４０は、第１の端壁３６８及び第２の端壁３７０を備えている。外壁３４２及び内壁３４８のそれぞれの第１の端部３４４，３５０に位置する環状チャンバ３５４の第１の端部は、第１の端壁３６８によってシールされており、外壁３４２及び内壁３４８のそれぞれの第２の端部３４６，３５２に位置する環状チャンバ３５４の第２の端部は、第２の端壁３７０によってシールされている。
【００５３】
図１４，図１５に示されているように、接着剤カプセル３４０を釘３２０内の適所に配置するために、ガイドワイヤ３８０の一部が接着剤カプセル３４０の通路３５６内を通るように構成されている。ガイドワイヤ３８０は、接着剤カプセルの内壁３４８と係合することを可能としながら、通路３５６内を通るのに十分な直径を有している。いったん接着剤カプセル３４０がガイドワイヤ３８０に係合されると、この接着剤カプセル３４０は、釘３２０の長手方向孔３２２内に受け入れられることが可能になる。好ましくは、ガイドワイヤ３８０は、図１４に示されているように、保持リング３６６が長手方向孔３２２の凹部３２３に係合するまで、釘３２０の長手方向孔３２２に通されることになる。
【００５４】
図１５に示されているように、いったん接着剤カプセル３４０が適所に配置されたならば、ガイドワイヤ３８０は、接着剤カプセル３４０を残して、釘３２０の長手方向孔３２２から取り外されるとよい。図３に示されている実施形態と同じように、固定具３６０ａ，３６０ｂ（図示せず）が、それぞれ、接着剤カプセル３４０を突き刺すように、釘３２０の開口３２６ａ，３６０ｂ内に配置されるとよい。好ましくは、接着剤カプセル３４０を固定具３６０ａ，３６０ｂによって突き刺した後、環状チャンバ内に収容されている接着材料３４１が、好ましくは、固定具３６０ａ，３６０ｂをその長さに沿って包囲することになる。好ましくは、固定具３６０ａ，３６０ｂは、各固定具のヘッド３６１が患者の骨（図示せず）の外面上に着座するまで、開口３２６ａ，３２６ｂ内に受け入れられるように構成されている。カプセル３４０の内側に配置された接着材料の化学的及び／又は物理的特性によって、接着材料は、最終的に硬化し、固定具３６０ａ，３６０ｂを釘３２０に対して固定し、これによって、釘３２０を患者の大腿骨の管に対して固定することになる。
【００５５】
他の実施形態では、生物学的活性剤が、カプセル４０，１４０，２４０，３４０の内側に含まれていてもよい。カプセル４０，１４０，２４０，３４０に用いられるのに適している活性剤の例として、成長因子、例えば、ビスフォスフォネート、形質変換成長因子、線維芽細胞成長因子、血小板由来成長因子、上皮成長因子、結合組織活性化ペプチド、骨形成因子、及びこのような成長因子の生物学的活性類似物、断片、及び誘導物が挙げられる。
【００５６】
前述した生物学的活性剤に加えて、多数の医薬品が、当技術分野において知られており、カプセルに用いられるのに適している。「医薬品」という用語は、制限されないが、薬剤、ビタミン、ミネラル補給食品、疾患又は病気の治療、予防、診断、養生、又は緩和に用いられる物質、体の構造又は機能に作用する物質、又は所定の生理学的環境内において生物学的に活性になるプロドラッグが挙げられる。
【００５７】
有用な医薬品の一般的なカテゴリーの非制限的な例として、以下の治療カテゴリー：タンパク質同化剤、製酸剤、抗喘息剤、抗凝固剤、抗痙攣剤、下痢止め剤、抗感染剤、抗炎症剤、制吐剤、及び鎮痛剤が挙げられる。また、治療剤は、ＡＣＥ阻害薬、アルカロイド、タンパク質同化薬、鎮痛剤、制酸薬、抗アレルギー剤、抗アルツハイマー病薬、抗狭心症薬、抗不安薬、抗不整脈薬、抗不整脈薬、抗喘息薬、抗菌剤、抗双極性鬱病薬、抗真菌薬、抗生物質、抗コレステロール薬、抗凝血薬、抗痙攣薬、抗凝固薬、抗鬱薬、下痢止め調剤、抗嘔吐薬、抗ヒスタミン薬、抗高血糖薬、抗高血圧薬、抗性的不能薬、抗感染薬、抗炎症薬、抗脂質薬、抗躁薬、抗片頭痛薬、制嘔吐薬、抗癌薬、抗肥満薬、抗寄生虫薬、抗パーキンソン薬、抗精神病薬、解熱薬、抗痙攣薬、抗卒中薬、抗血栓薬、抗甲状腺調剤、抗癌薬、鎮咳薬、抗潰瘍薬、抗尿酸血症剤、抗ウイルス剤、抗不安薬、食欲刺激剤、食欲抑制薬、自己免疫疾患薬、バルビーツール剤、ベータ遮断薬、血糖低下薬、気管支拡張薬、心血管治療薬、脳血管拡張薬、キレート剤、コレシストキニン拮抗薬、化学療法薬、コレストロール低下薬、認知活性剤、認知促進剤、避妊薬、冠状動脈拡張剤、鎮咳剤、充血緩和剤、脱臭剤、皮膚科用薬物、糖尿病薬、利尿剤、皮膚軟化剤、酵素、赤血球生成剤、去痰薬、妊娠促進薬、抗真菌薬、胃腸薬、成長調整剤、抗頭痛薬、抗群発頭痛薬、ホルモン補充薬、血糖上昇剤、催眠薬、血糖降下薬、イオン交換樹脂、便秘薬、片頭痛治療薬、（投与された後に活性又はより活性になる）ミネラル補助食品、粘液溶解薬、麻酔薬、神経遮断薬、神経筋薬剤、非ステロイド系抗炎症薬（ＮＳＡＩＤｓ）、栄養添加物、末梢血管拡張剤、ポリペプチド、プロスタグランジン、向精神薬、レニン阻害剤、呼吸刺激薬、抗脚不穏症候群薬、鎮静剤、ステロイド、興奮剤、交感神経遮断薬、甲状腺用調剤、トランキライザー、子宮弛緩薬、膣用調剤、血管収縮剤、血管拡張剤、めまい薬、ビタミン、創傷治療薬、及びこれらの組合せからなる群から選択された薬剤クラスの一部をなす少なくとも１つの薬物であってもよい。
【００５８】
上記の少なくとも一種の薬剤は、アセタゾールアミド、アセトアミノフェン、酢酸、アセトヘキサミド、アセチルサリチル酸、緩衝アセチルサリチル酸、アクリバスチン、アシクロビル、アルブテロール、硫酸アルブテロール、アルコール、アルファキサロン、アルカリホスファターゼ、アラントイン、アロエ、アルプロスタジル、酢酸アルミニウム、炭酸アルミニウム、クロルヒドロキシアルミニウム、水酸化アルミニウム、アルプラゾラム、アミノ酸、アミノ安息香酸、ベシル酸アムロジビン、アモキシシリン、アンピシリン、アムサクリン、アムサログ、アネトール、アポモルヒネ、アスコルビン酸、アスパルテーム、アスピリン、アステミゾール、アテノロール、アトロバスタチンカルシウム、アゼチジン、マレイン酸アザチジン、アジスロマイシン、バシトラシン、ペルーバルサム、ＢＣＮＵ（カルムスチン）、塩酸ベカムピシリン、ジプロピオン酸ベクロメタゾン、塩化ベンザルコニウム、ベンゾカイン、安息香酸、ベンゾフェノン、過酸化ベンゾイル、ベンズキナミド、塩酸ベンズキナミド、ベタメタゾン、ベタネコール、ビオチン、ビサコジル、次サリチル酸ビスマス、酢酸ボミル、ブロモフェニラミン、マレイン酸ブロモフェニラミン、塩酸ブプロピオン、ブスピロン、カフェイン、カラミン、炭酸カルシウム、カルシウムカシネート、水酸化カルシウム、樟脳、カプトプリル、カルベニシリンインダニルナトリウム、カルベジロール、カスカラサグラダ、ひまし油、セファクロル、セファドロキシル、セリコキシブ、セファレキシン、セントリジン、塩酸セントリジン、セチリジン、セチルアルコール、塩化セチルピリジニウム、キレート化ミネラル、クロラムブシル、クロラムフェニコール、塩酸クロルシクリジン、クロルジアゼポキシド、グルコン酸クロルヘキシジン、クロロキシレノール、クロロペントスタチン、クロルフェニラミン、マレイン酸クロルフェニラミン、タンニン酸クロルフェニラミン、クロルプロマジン、クロルプロパミド、クロルサリドン、クロルゾールアミド、コレスチルアミン樹脂、酒石酸水素コリン、軟骨形成刺激タンパク質、シメチジン、塩酸シメチジン、塩酸シンナメドリン、シンナリジン、シサプリド、シタロプラム、クエン酸、クラリスロマイシン、クレマスチン、フマル酸クレマスチン、クロニジン、塩酸クロニジン、クロルフィブラート、カカオバター、タラ肝油、コデイン、フマル酸コデイン、リン酸コデイン、酢酸コルチゾン、コトリモキサゾール、塩酸シプロフロキサシン、シアノコバラミン、塩酸シクリジン、シプロヘプタジン、塩酸シプロヘプタジン、デキサメチルフェニデート、ダントロン、マレイン酸デキスブロモフェニラミン、デキストロメトルファン、ハロゲン化水素酸デキストロメトルファン、ジアゼパム、ジブカイン、ジクロラルフェナゾン、ジクロフェン、ジクロフェンのアルカリ金属塩、ジクロフェナクナトリウム、ジクマロール、ジギトキシン、ジゴキシン、ジヒドロエルゴタミン、ジヒドロエルゴタミンの水素化物、ジヒドロエルゴタミンのメシル酸塩、ジルチアゼム、ディメボン、ジメンヒドリナート、ジメチコーン、ジオキシベンゾン、ジフェンヒドラミン、クエン酸ジフェンヒドラミン、塩酸ジフェンヒドラミン、ジバルプロエクス、ジバルプロエクスのアルカリ金属塩、ドクサートカルシウム、ドクサートカリウム、ドクサートナトリウム、ドネペジル、ドキサゾシン、ドキセピン、塩酸ドキセピン、ドキシサイクリン水和物、コハク酸ドキシラミン、ドロナビノール、エキノマイシン、エコナゾール、エファロキサン、エナラプリル、エナラプリル酸、エノキサシン、エフェドリン、酒石酸水素エピネフリン、エルゴタミン、酒石酸エルゴタミン、エリスロマイシン、エリスロポイエチン、エストロピペート、エチニールエストラジオール、エトミデート、ユーカリプトール、ファモチジン、フェノプロフェン、フェノプロフェンの金属塩、フマル酸第１鉄、グルコン酸第１鉄、硫酸第１鉄、フルコナゾル、フルオキセチン、フオキシメステロン、葉酸、フォスフェニトイン、５−フルオロウラシル（５−ＦＵ）、フルオキセチン、塩酸フルオキセチン、フルルビプロフェン、フルスピリレン、フロセミド、ガバペンタン、ゲンタマイシン、ジェムフィブロジル、グリピザイド、グリセリン、ステアリン酸グリセリル、グラニセトロン、塩酸グラニセトロン、グリセオフルビン、グアフェネシン、ヘキシルレソルシノール、ヒドロクロロチアジド、ヒドロコドン、ヒドロコドンの酒石酸塩、ヒドロコルチゾン、酢酸ヒドロコルチゾン、８−硫酸ヒドロキシキノリン、ヒドロキシジン、パモ酸ヒドロキシジン、ヒドロキジンの塩酸塩、イブプロフェン、インドメタシン、イノシトール、インシュリン、ヨウ素、イペカック、鉄、イロキシカム、イソソルビド、イソソルビドの一硝酸塩及び二硝酸塩、イソキシカム、カオリン、ケタミン、ケタンセリン、ケトプロフェン、乳酸、ラノリン、Ｌ−ドーパ、レシチン、酢酸リュープロリド、レボカバスチン、リドカイン、塩酸リドカイン、リフィノプリル、リオトリックス、リシノプリル、ロムスチン、ロペラミド、ロラタジン、ロバスタチン、炭酸マグネシウム、水酸化マグネシウム、サリチル酸マグネシウム、三ケイ酸マグネシウム、メクリジン、塩酸メクリジン、メフェナム酸、メクロフェナム酸、メクロフェナム酸ナトリウム、酢酸メドロキシプロゲステロン、メロキシカム、メマンチン、マンデル酸メテナミン、メントール、塩酸メペリジン、硫酸メタプロテレノール、メタンステノロン、メトスコポラミン、メトスコポラミンの硝酸塩、メトセルギド、マレイン酸メトセルギド、ニコチン酸メチル、サリチル酸メチル、メチルセルロース、メトスクシミド、１７−メチルテストステロン、メトクロプラミド、メトクロプラミドのハロゲン化物、メトクロプラミドの水和物、メトロニダゾール、塩酸メトロニダゾール、メトプロロール、酒石酸メトプロロール、ミアンセリン、硝酸ミコナゾール、鉱油、ミノサイクリン、ミノキシジル、ミオフラジン、モルヒネ、ナドロール、ナプロキセン、ナプロキセンのナトリウム塩、ナプロキセンのアルカリ金属塩、ニフェジピン、硫酸ネオマイシン、ナイアシン、ナイアシンアミド、ニコチン、ニコチンアミド、ニメスリド、ニトログリセリン、ノノキシノール−９、ノルエチンドロン及びその酢酸塩、ニスタチン、オクトキシノール、オクトキシノール−９、オクチルジメチルＰＡＢＡ、メトキシケイ皮酸オクチル、オメガ−３ポリ不飽和脂肪酸、オメプラゾール、オンダンセトロン、塩酸オンダンセトロン、オクスフェンダゾール、オキソリニック酸、オキシベンゾン、オキシトリフィリン、パラアミノ安息香酸（ＰＡＢＡ）、パジメート−Ｏ、パラメタジオン、パロキセチン、ペンフルリドール、ペニシリンＧ、ペンタスタチン、ペパーミント油、４硝酸ペンタエリスリトール、ペントバルビタールナトリウム、パーフェナジン、硫酸フェネルジン、フェニンダミン、酒石酸フェニンダミン、マレイン酸フェニラミン、フェノバルビタール、フェノール、フェノールフタレイン、フェニレフリン、フェニレフリンのタンニン酸塩、フェニレフリンの塩酸塩、フェニルプロパノラミン、塩酸フェニルプロパノラミン、フェニロイン、ピルメノール、ピロキシカム、ピロキシカムの塩、硫酸ポリミシンＢ、塩化カリウム、硝酸カリウム、プラミペキソール、プラミラセチン、プラモキシン、塩酸プラモキシン、プラゼパム、プラゾシン、プレドニゾロン、塩酸プロカインアミド、プロカテロール、プロメタジン、塩酸プロメタジン、プロポキシフェン、塩酸プロポキシフェン、ナプシル酸、プロクロルペラジン、マレイン酸プロクロルペラジン、プロパノロール、塩酸プロパノロール、プロメタジン、塩酸プロメタジン、プロパノロール、プロスタサイクリン、プソイドエフェドリン、プソイドエフェドリンの硫酸塩、プソイドエフェドリンの塩酸塩、ピリドキシン、ピロラミン、ピロラミンの塩酸塩、ピロラミンのタンニン酸塩、クエチアピン、キナプリル、グルコン酸キニジン、硫酸キニジン、キネストロール、ラリトリン、ラミプリル、ラニチジン、レゾルシノール、レチノール、リボフラビン、リバスチグミン、ロシグリタゾン、サリチル酸、スコポラミン、セルトラリン、ゴマ油、サメ肝油、クエン酸シルデナフィル、シメチコン、重炭酸ナトリウム、クエン酸ナトリウム、フッ化ナトリウム、モノフルオロリン酸ナトリウム、スピラマイシン、スピロノラクトン、スクラルファート、スルファネトキシサゾール、スルファサラジン、硫黄、スルピリド、スマトリプタン、コハク酸スマトリプタン、タクリン、塩酸タクリン、テルコナゾール、テルフェナジン、テストステロン、テトラサイクリン、塩酸テトラサイクリン、テトラヒドロアミノアクリジン、テオフィリン、チアベンダゾール、チエチルペラジン、マレイン酸チエチルペラジン、チオペリドン、塩酸チオチキセン、チモロール、マレイン酸チモロール、トルメチン、トルナフテート、トピラマート、トラマドール、トレチノイン、トリアゾラム、トリメトレキセート、トリマゾシン、トリクロサン、トリメトベンズアミド、塩酸トリメトベンズアミド、トリペレナミン、塩酸トリペレナミン、塩酸トリポリジン、トロレアンドマイシン、ツブラゾール、ウンデシレン酸、バルデコキシブ、バンコマイシン、ベンラファキシン、塩酸ベラパミル、リン酸ビダリビン、ビラゾール、ビタミンＡ、ビタミンＣ、ビタミンＤ、ビタミンＢ１、ビタミンＢ２、ビタミンＢ３、ビタミンＢ４、ビタミンＢ５、ビタミンＢ６、ビタミンＢ７、ビタミンＢ９、ビタミンＢ１２、ビタミンＥ、ビタミンＫ、ウイッチヘーゼル、塩酸キシロメタゾリン、亜鉛、硫酸亜鉛、ウンデシレン酸亜鉛、ジプラシドン、ゾルピデム、その塩、及びこれらの組合せからなる群から選択されるものである。
【００５９】
さらに他の実施形態では、前述した生物学的活性剤、医薬品、及び薬剤は、カプセル４０，１４０，２４０，３４０にどのような接着剤も含まれることなく、カプセル４０，１４０，２４０，３４０内に含まれていてもよい。
【００６０】
接着剤がカプセル４０，１４０，２４０，３４０内に含まれている実施形態では、本発明の接着剤の特性を調整するために、種々の添加物がこの接着剤内に含まれていてもよい。例えば、骨セメント、タンパク質、骨誘導材料及び／又は骨伝導材料、Ｘ線不透明化剤、支持又は強化充填材料、結晶成長調整剤、粘性改良剤、細孔形成剤、及び他の添加物、ならびにこれらの混合物が、本発明の範囲から逸脱することなく含まれていてもよい。
【００６１】
骨セメント内に含まれている複合物及び機能材料の性質は、これまでに述べた成分に制限されるものではなく、むしろそれとは反対に、どのような他の適切な骨伝導材料、生体活性材料、生体不活性材料、又は他の機能材料が、本発明に関連して用いられていてもよい。用いられる場合、これらの任意選択的な成分は、それらの意図されている目的に適するどのような量で含まれていてもよい。
【００６２】
いくつかの実施形態では、骨セメントは、骨誘導タンパク質を含んでいる。この骨誘導タンパク質として、骨形成を助長又は誘発するのに有用等のようなタンパク質も考えられる。骨誘導タンパク質は、カルボキシル／カルシウムセメント系と共に用いられるのに特に適していると見なされている。なぜならば、少なくとも多くの周知の骨誘導タンパク質の場合、このようなタンパク質は、アルカリｐＨで変性する可能性があるからである。
【００６３】
他の任意選択的な成分は、Ｘ線不透過性充填剤のような充填剤である。Ｘ線不透過性充填剤は、例えば、硫化バリウム又は水酸化ビスマスのような適切なビスマス化合物、バリウム化合物、又はヨウ素化合物であるとよい。他の適切な充填剤として、バイオグラス、シリカ、アルミナ、二相リン酸カルシウム、ケイ酸カルシウム、硫酸カルシウム、粒状リン酸カルシウムセラミック、ポートランドセメント等が挙げられる。
【００６４】
本明細書において特定の実施形態を参照して本発明を説明してきたが、これらの実施形態は、本発明の原理及び用途の単なる例示にすぎないことを理解されたい。従って、例示的な実施形態に対して多くの修正がなされてもよいし、添付の特許請求の範囲に記載されている本発明の精神及び範囲から逸脱することなく、他の構成が考案されてもよいことを理解されたい。
【図１】
2011125718.tif 000003
【図２】
2011125718.tif 000004
【図３】
2011125718.tif 000005
【図４】
2011125718.tif 000006
【図４Ａ】
2011125718.tif 000007
【図５】
2011125718.tif 000008
【図６】
2011125718.tif 000009
【図７】
2011125718.tif 000010
【図８】
2011125718.tif 000011
【図８Ａ】
2011125718.tif 000012
【図９】
2011125718.tif 000013
【図１０】
2011125718.tif 000014
【図１１】
2011125718.tif 000015
【図１２】
2011125718.tif 000016
【図１３】
2011125718.tif 000017
【図１４】
2011125718.tif 000018
【図１５】
2011125718.tif 000019
【外国語明細書】
2011125718.tif 000020
2011125718.tif 000021
2011125718.tif 000022
2011125718.tif 000023
2011125718.tif 000024
2011125718.tif 000025
2011125718.tif 000026
2011125718.tif 000027
2011125718.tif 000028
2011125718.tif 000029
2011125718.tif 000030
2011125718.tif 000031
2011125718.tif 000032
2011125718.tif 000033
2011125718.tif 000034
2011125718.tif 000035
2011125718.tif 000036
2011125718.tif 000037
2011125718.tif 000038
2011125718.tif 000039
2011125718.tif 000040
2011125718.tif 000041
2011125718.tif 000042
2011125718.tif 000043
2011125718.tif 000044
2011125718.tif 000045
2011125718.tif 000046
2011125718.tif 000047
2011125718.tif 000048
2011125718.tif 000049
2011125718.tif 000050
2011125718.tif 000051
2011125718.tif 000052
2011125718.tif 000053
2011125718.tif 000054
2011125718.tif 000055